(57)【特許請求の範囲】
【請求項１】
任意の地点に位置する実測点で実測した実測腐食速度と、前記実測点の周辺に位置する複数の第１の観測点における気温、降水量、結露日数からなる気象データと、腐食速度の推定を行う推定点の周辺に位置する複数の第２の観測点における気温、降水量、および結露日数を含む気象データと、前記推定点および前記実測点における海塩粒子量と、前記実測点と前記第１の観測点の位置関係を示す位置データと、前記推定点と前記第２の観測点の位置関係を示す位置データとを記憶するデータ蓄積部と、
任意の地点における気温、降水量、結露日数、および海塩粒子量から、予め定められたパラメータを用いて、当該地点における推定腐食速度を算出する解析関数に対して、前記実測点と前記第１の観測点との距離に基づき前記第１の観測点における気温、降水量、および結露日数を加重平均して求めた当該実測点における気温、降水量、および結露日数と、前記実測点における海塩粒子量と、当該実測点で計測した実測腐食速度とを適用することにより、前記パラメータとして前記実測腐食速度と前記推定腐食速度との誤差が最も少ない最適パラメータを特定する関数当てはめ部と、
前記推定点と前記第２の観測点との距離に基づき前記第２の観測点における気温、降水量、および結露日数を加重平均して求めた当該推定点における気温、降水量、および結露日数と、当該推定点における海塩粒子量とから、前記最適パラメータを用いた前記解析関数に基づいて当該推定点における腐食速度を算出する腐食速度推定部と
を備えることを特徴とする腐食速度推定装置。
【請求項２】
請求項１に記載の腐食速度推定装置において、
任意の地点ｐｃの任意の期間ｍにおける平均気温をＴａｖ（ｐｃ，ｍ）とし、当該地点ｐｃの当該期間ｍにおける降水量をＰｓｕ（ｐｃ，ｍ）とし、当該地点ｐｃの当該期間ｍにおける結露日数をＣ（ｐｃ，ｍ）とし、当該地点ｐｃの当該期間ｍにおける海塩粒子量をＳａｖ（ｐｃ，ｍ）とし、前記パラメータをａ，ｂ，ｃ，ｄ，ｅとした場合、当該地点における腐食速度Ｒ（ｐｃ，ｍ）を算出する前記解析関数として、次の式
【数１】
0005314089.tif 000014
を用いることを特徴とする腐食速度推定装置。
【請求項３】
請求項１または請求項２に記載の腐食速度推定装置において、
前記関数当てはめ部は、前記解析関数に関する前記最適パラメータを特定する際、ロバスト関数を用いた非線形最小二乗法に基づいて、反復誤差がしきい値未満となるまで、前記各パラメータの値を変化させて前記腐食速度を反復計算するとともに、当該反復計算の回数に応じて、当該ロバスト関数内の係数を段階的に変化させることを特徴とする腐食速度推定装置。
【請求項４】
任意の地点に位置する実測点で実測した実測海塩粒子量と、前記実測点の周辺に位置する複数の第１の観測点における風向および風速からなる気象データと、海塩粒子量の推定を行う推定点の周辺に位置する複数の第２の観測点における風向および風速からなる気象データと、前記実測点と前記第１の観測点の位置関係を示す位置データと、前記推定点と前記第２の観測点の位置関係を示す位置データとを記憶するデータ蓄積ステップと、
任意の地点における気温、降水量、結露日数、および海塩粒子量から、予め定められたパラメータを用いて、当該地点における推定腐食速度を算出する解析関数に対して、前記実測点と前記第１の観測点との距離に基づき前記第１の観測点における気温、降水量、および結露日数を加重平均して求めた当該実測点における気温、降水量、および結露日数と、前記実測点における海塩粒子量と、当該実測点で計測した実測腐食速度とを適用することにより、前記パラメータとして前記実測腐食速度と前記推定腐食速度との誤差が最も少ない最適パラメータを特定する関数当てはめステップと、
前記推定点と前記第２の観測点との距離に基づき前記第２の観測点における気温、降水量、および結露日数を加重平均して求めた当該推定点における気温、降水量、および結露日数と、当該推定点における海塩粒子量とから、前記最適パラメータを用いた前記解析関数に基づいて当該推定点における腐食速度を算出する腐食速度推定ステップと
を備えることを特徴とする腐食速度推定方法。
【請求項５】
請求項４に記載の腐食速度推定方法において、
任意の地点ｐｃの任意の期間ｍにおける平均気温をＴａｖ（ｐｃ，ｍ）とし、当該地点ｐｃの当該期間ｍにおける降水量をＰｓｕ（ｐｃ，ｍ）とし、当該地点ｐｃの当該期間ｍにおける結露日数をＣ（ｐｃ，ｍ）とし、当該地点ｐｃの当該期間ｍにおける海塩粒子量をＳａｖ（ｐｃ，ｍ）とし、前記パラメータをａ，ｂ，ｃ，ｄ，ｅとした場合、当該地点における腐食速度Ｒ（ｐｃ，ｍ）を算出する前記解析関数として、次の式
【数２】
0005314089.tif 000015
を用いることを特徴とする腐食速度推定方法。
【請求項６】
請求項４または請求項５のいずれか１つに記載の腐食速度推定方法において、
前記関数当てはめステップは、前記解析関数に関する前記最適パラメータを特定する際、ロバスト関数を用いた非線形最小二乗法に基づいて、反復誤差がしきい値未満となるまで、前記各パラメータの値を変化させて前記腐食速度を反復計算するとともに、当該反復計算の回数に応じて、当該ロバスト関数内の係数を段階的に変化させるステップを含むことを特徴とする腐食速度推定方法。
【発明の詳細な説明】
【技術分野】
【０００１】
本発明は、腐食予測技術に関し、特に金属材料に対する大気腐食の速度を推定する腐食速度推定技術に関する。
【背景技術】
【０００２】
屋内外には、さまざまな金属材料が用いられており、特に、屋外環境では大気腐食と呼ばれる材料の劣化問題が浮き彫りになっている。大気腐食の要素には、海岸から飛来する海塩粒子をはじめとして、湿度、風、気温などがある。また、各要素は地形条件により、短期あるいは長期にわたって材料に影響を与えるため、複数の要素を考慮した腐食モデルが必要である。
【０００３】
従来、このような腐食速度を推定する技術として、海塩粒子量と腐食量に一定の関係があり、また、海塩粒子量は海岸からの距離で一義的に決まるという仮定に基づいた腐食モデルを用いたものが提案されている（例えば、非特許文献１など参照）。しかしながら、このような腐食モデルでは、腐食速度を正しく推定することが困難であった。また、モデルパラメータが解析する地域ごとに経験的に与えられていたため、任意の地域で適用できる汎用的な方法が求められてきた。
【０００４】
また、塩害を解析する技術として、塩害解析モデルが提案されている（例えば、非特許文献２など参照）。このモデルでは、亜鉛や鉄といった金属材料を一定期間、幾つかの沿岸部に設定して自然環境に曝し、海塩粒子量解析や材料表面の減肉解析を施している。同時に、同一期間における気象データとの因果関係を多変量解析することに観点が置かれている。この際、解析モデルにおける解析関数において、因子間の重み係数は経験的に推定されている。特に、重み係数を推定するときに用いられた気象データは、大きくばらついているため、試行錯誤的に決定するには限界があった。
【先行技術文献】
【非特許文献】
【０００５】
【非特許文献１】木村肇、“外装鋼板における塩害腐食の特徴”、日本金属屋根協会テクニカルレポート、http://www.kinzoku-yane.or.jp/technical/pdf/no224.pdf
【非特許文献２】宮田恵守、竹越良治、高沢壽佳、“海岸における亜鉛の待機腐食速度の推定”、防食技術、38, 540-545, 1989.
【発明の概要】
【発明が解決しようとする課題】
【０００６】
電力や電気通信の分野において、送電線や通信線を支える構造物に付着した塩分が構造物の腐食に大きな影響を及ぼす。また、海塩粒子量のほか気温、結露、雨量などの気象条件も腐食に大きな影響を及ぼす。このため、海塩粒子量や気象データに関する実測データのない地点に設置された構造物の腐食を把握する上で、腐食速度を正確に推定することは、極めて重要となる。
【０００７】
しかしながら、前述した従来技術では、海岸から推定点までの距離をパラメータとして、この距離に基づいて推定点における海塩粒子量や腐食速度が一義的に決定されるという方法が主であり、推定点における気温、結露、雨量など、腐食速度に大きな影響を与える気象データが推定値計算に反映されておらず、気象条件によって大きな測定誤差が発生するという問題点があった。また、気象データを反映させる方法においても、気象データの取り扱いは特定地域におけるデータに基づいた経験的なものであり、任意の地点における腐食速度について精度良く推定できるものではない。
【０００８】
本発明はこのような課題を解決するためのものであり、任意の地点における腐食速度を高い精度で推定できる腐食速度推定技術を提供することを目的としている。
【課題を解決するための手段】
【０００９】
このような目的を達成するために、本発明にかかる腐食速度推定装置装置は、任意の地点に位置する実測点で実測した実測海塩粒子量と、実測点の周辺に位置する複数の第１の観測点における風向および風速からなる気象データと、海塩粒子量の推定を行う推定点の周辺に位置する複数の第２の観測点における風向および風速からなる気象データと、実測点と第１の観測点の位置関係を示す位置データと、推定点と第２の観測点の位置関係を示す位置データとを記憶するデータ蓄積部と、任意の地点における気温、降水量、結露日数、および海塩粒子量から、予め定められたパラメータを用いて、当該地点における推定腐食速度を算出する解析関数に対して、実測点と第１の観測点との距離に基づき第１の観測点における気温、降水量、および結露日数を加重平均して求めた当該実測点における気温、降水量、および結露日数と、実測点における海塩粒子量と、当該実測点で計測した実測腐食速度とを適用することにより、パラメータとして実測腐食速度と推定腐食速度との誤差が最も少ない最適パラメータを特定する関数当てはめ部と、推定点と第２の観測点との距離に基づき第２の観測点における気温、降水量、および結露日数を加重平均して求めた当該推定点における気温、降水量、および結露日数と、当該推定点における海塩粒子量とから、最適パラメータを用いた解析関数に基づいて当該推定点における腐食速度を算出する腐食速度推定部とを備えている。
【００１０】
この際、任意の地点ｐｃの任意の期間ｍにおける平均気温をＴａｖ（ｐｃ，ｍ）とし、当該地点ｐｃの当該期間ｍにおける降水量をＰｓｕ（ｐｃ，ｍ）とし、当該地点ｐｃの当該期間ｍにおける結露日数をＣ（ｐｃ，ｍ）とし、当該地点ｐｃの当該期間ｍにおける海塩粒子量をＳａｖ（ｐｃ，ｍ）とし、パラメータをａ，ｂ，ｃ，ｄ，ｅとした場合、当該地点における腐食速度Ｒ（ｐｃ，ｍ）を算出する解析関数として、後述する式（５）を用いてもよい。
【００１１】
また、関数当てはめ部で、解析関数に関する最適パラメータを特定する際、ロバスト関数を用いた非線形最小二乗法に基づいて、反復誤差がしきい値未満となるまで、各パラメータの値を変化させて腐食速度を反復計算するとともに、当該反復計算の回数に応じて、当該ロバスト関数内の係数を段階的に変化させるようにしてもよい。
【００１２】
また、本発明にかかる腐食速度推定方法は、任意の地点に位置する実測点で実測した実測海塩粒子量と、実測点の周辺に位置する複数の第１の観測点における風向および風速からなる気象データと、海塩粒子量の推定を行う推定点の周辺に位置する複数の第２の観測点における風向および風速からなる気象データと、実測点と第１の観測点の位置関係を示す位置データと、推定点と第２の観測点の位置関係を示す位置データとを記憶するデータ蓄積ステップと、任意の地点における気温、降水量、結露日数、および海塩粒子量から、予め定められたパラメータを用いて、当該地点における推定腐食速度を算出する解析関数に対して、実測点と第１の観測点との距離に基づき第１の観測点における気温、降水量、および結露日数を加重平均して求めた当該実測点における気温、降水量、および結露日数と、実測点における海塩粒子量と、当該実測点で計測した実測腐食速度とを適用することにより、パラメータとして実測腐食速度と推定腐食速度との誤差が最も少ない最適パラメータを特定する関数当てはめステップと、推定点と第２の観測点との距離に基づき第２の観測点における気温、降水量、および結露日数を加重平均して求めた当該推定点における気温、降水量、および結露日数と、当該推定点における海塩粒子量とから、最適パラメータを用いた解析関数に基づいて当該推定点における腐食速度を算出する腐食速度推定ステップとを備えている。
【００１３】
この際、任意の地点ｐｃの任意の期間ｍにおける平均気温をＴａｖ（ｐｃ，ｍ）とし、当該地点ｐｃの当該期間ｍにおける降水量をＰｓｕ（ｐｃ，ｍ）とし、当該地点ｐｃの当該期間ｍにおける結露日数をＣ（ｐｃ，ｍ）とし、当該地点ｐｃの当該期間ｍにおける海塩粒子量をＳａｖ（ｐｃ，ｍ）とし、パラメータをａ，ｂ，ｃ，ｄ，ｅとした場合、当該地点における腐食速度Ｒ（ｐｃ，ｍ）を算出する解析関数として、後述する式（５）を用いてもよい。
【００１４】
また、関数当てはめステップに、解析関数に関する最適パラメータを特定する際、ロバスト関数を用いた非線形最小二乗法に基づいて、反復誤差がしきい値未満となるまで、各パラメータの値を変化させて腐食速度を反復計算するとともに、当該反復計算の回数に応じて、当該ロバスト関数内の係数を段階的に変化させるステップを含むようにしてもよい。
【発明の効果】
【００１５】
本発明によれば、推定点での腐食速度を推定する際、推定点における気温、結露、雨量など、腐食速度に大きな影響を与える気象データが推定値計算に反映されているため、気象条件によって発生する推定誤差を低減することができ、推定点における腐食速度を高い精度で推定することが可能となる。したがって、構造物の腐食状況を、腐食速度の実測データが存在しない地点であっても、正確に推定することができ、構造物の寿命や最適な腐食対策などを、簡便かつ正確に判断することが可能となる。特に、電力や電気通信の分野において、送電線や通信線を支える構造物など、広範囲で僻地に建設された構造物の腐食対策において、極めて高い効果が得られる。
【図面の簡単な説明】
【００１６】
【図１】腐食速度推定装置の構成を示すブロック図である。
【図２】腐食速度推定処理を示すフローチャートである。
【図３】材料の暴露試験における材料の減肉具合を示す説明図である。
【図４】ある計算地点における腐食速度に関する精度の違いに対する評価値を示す説明図である。
【発明を実施するための形態】
【００１７】
次に、本発明の一実施の形態について図面を参照して説明する。
［腐食速度推定装置の構成］
まず、図１を参照して、本発明の一実施の形態にかかる腐食速度推定装置１０について説明する。図１は、腐食速度推定装置の構成を示すブロック図である。
この腐食速度推定装置１０は、全体としてサーバ装置などのコンピュータからなり、入力された各種データに基づいて、任意の地点における金属に対する大気腐食の速度を推定する装置である。
【００１８】
本実施の形態は、任意の地点における気温、降水量、結露日数、および海塩粒子量から予め定められたパラメータを用いて、当該地点における推定腐食速度を算出する解析関数について、当該解析関数に用いる最適なパラメータを、実測点で実測した実測腐食速度と、当該実測点における気温、降水量、結露日数、および海塩粒子量から特定し、得られた最適パラメータを用いた当該解析関数に基づいて、推定点における気温、降水量、結露日数、および海塩粒子量から、推定点における腐食速度を算出するようにしたものである。
【００１９】
この際、実測点における気温、降水量、および結露日数は、当該実測点の周辺に位置する複数の第１の観測点で得られた気温、降水量、および結露日数を、当該第１の観測点までの距離に基づき加重平均して求め、推定点における気温、降水量、および結露日数は、当該推定点の周辺に位置する複数の第２の観測点で得られた気温、降水量、および結露日数を、当該第２の観測点までの距離に基づき加重平均して求めるようにしたものである。なお、実測点および推定点における海塩粒子量は、実測値でもよく、任意の手法で推定した値であってもよい。
【００２０】
次に、図１を参照して、本実施の形態にかかる腐食速度推定装置１０の構成について説明する。
腐食速度推定装置１０には、主な機能部として、データ入力部１１、データ蓄積部１２、表示部１３、および演算処理部１４が設けられている。
【００２１】
データ入力部１１は、外部装置（図示せず）との間でデータ通信を行うデータ通信装置や、オペレータのデータ入力操作を検出するキーボートなどの操作入力装置からなり、腐食速度の推定処理に用いる各種処理データを入力して、データ蓄積部１２へ保存する機能を有している。主な処理データとしては、任意の地点に位置する実測点で実測した実測海塩粒子量と、実測点の周辺に位置する複数の第１の観測点における風向および風速からなる気象データと、海塩粒子量の推定を行う推定点の周辺に位置する複数の第２の観測点における風向および風速からなる気象データと、実測点と第１の観測点の位置関係を示す位置データと、推定点と第２の観測点の位置関係を示す位置データとがある。
【００２２】
データ蓄積部１２は、ハードディスクや半導体メモリなどの記憶装置からなり、データ入力部１１で入力された各種処理データのほか、演算処理部１４での腐食速度の推定に用いる各種データやプログラムを記憶する機能を有している。
表示部１３は、ＬＣＤなどの画面表示装置からなり、演算処理部１４からの指示に応じて、操作メニューや演算結果などの各種情報を画面表示する機能を有している。
【００２３】
演算処理部１４は、ＣＰＵとその周辺回路を有し、データ蓄積部１２からプログラムを読み込んで実行することにより、各種処理部を実現する機能を有している。
演算処理部１４で実現される主な処理部として、関数当てはめ部１４Ａと腐食速度推定部１４Ｂがある。
【００２４】
関数当てはめ部１４Ａは、任意の地点における気温、降水量、結露日数、および海塩粒子量から、予め定められたパラメータを用いて、各方位において海岸から飛来する海塩粒子量を求めて合計することにより、当該地点における推定腐食速度を算出する解析関数に対して、実測点と第１の観測点との距離に基づき第１の観測点における気温、降水量、および結露日数を加重平均して求めた当該実測点における気温、降水量、および結露日数と、当該実測点における海塩粒子量と、当該実測点で計測した実測腐食速度とを適用することにより、パラメータとして実測腐食速度と推定腐食速度との誤差が最も少ない最適パラメータを特定する機能を有している。
【００２５】
腐食速度推定部１４Ｂは、推定点と第２の観測点との距離に基づき第２の観測点における気温、降水量、および結露日数を加重平均して求めた当該推定点における気温、降水量、および結露日数と、当該推定点における海塩粒子量とから、最適パラメータを用いた解析関数に基づいて当該推定点における腐食速度を算出する機能を有している。
【００２６】
［腐食速度推定装置の動作］
次に、図２を参照して、本実施の形態にかかる腐食速度推定装置１０の動作について説明する。図２は、腐食速度推定処理を示すフローチャートである。
腐食速度推定装置１０は、推定点における腐食速度を推定する際、図２の腐食速度推定処理を実行する。
【００２７】
まず、データ入力部１１は、腐食速度の推定処理に用いる各種処理データ、ここでは、第１および第２の観測点における気温、降水量、および結露日数からなる気象データと、実測点で実測した実測腐食速度と、推定点および実測点における海塩粒子量と、実測点と第１の観測点の位置関係、および推定点と第２の観測点の位置関係を示す位置データとを入力し（ステップ１００）、データ蓄積部１２へ保存する（ステップ１０１）。
【００２８】
続いて、関数当てはめ部１４Ａは、気温、降水量、および結露日数や、海塩粒子量を変数とする、腐食速度を求めるための解析関数を用いて、入力した各種処理データから当該解析関数で用いる未知のパラメータの値を特定する（ステップ１０２）。
この際、関数当てはめ部１４Ａは、解析関数において、実測点と第１の観測点との距離を用いる。特に、複数の第１の観測点で得られた気象データを考慮する場合は、実測点と第１の観測点との距離に関する加重平均を、気温、降水量、および結露日数に適用する。
【００２９】
また、関数当てはめ部１４Ａは、データ間のばらつきという外れ値に応じるために、統計的な手段であるロバスト推定法に基づいた非線形最小二乗法を用い、収束性を高めるために、ロバスト関数中の係数を段階的に変化させる。
【００３０】
この後、腐食速度推定部１４Ｂは、関数当てはめ部１４Ａで特定された最適パラメータを用いた解析関数に基づいて、推定点における腐食速度を算出して（ステップ１０３）、１次元的もしくは２次元的に解析された結果を表示部１３で表示し（ステップ１０４）、一連の腐食速度推定処理を終了する。
この際、腐食速度推定部１４Ｂは、解析関数において、推定点と第２の観測点との距離を用いる。特に、複数の第２の観測点で得られた気象データを考慮する場合は、推定点と第２の観測点との距離に関する加重平均を、気温、降水量、および結露日数に適用する。
【００３１】
［腐食速度推定処理の詳細］
次に、数式を用いて、本実施の形態にかかる腐食速度推定処理の詳細について説明する。
本実施の形態では、材料を劣化させる要素として、主に大気環境が関係すると仮定している。要素については、海塩粒子（以下、粒子）量、結露、雨量、気温とした。
このうち、粒子量は、沿岸部に近い位置に設置されている材料ほど、その影響を受けやすいと言われており、腐食の進行を加速させる要因の一つとなっている。これについては、前述した非特許文献１における手法などの公知の手法により粒子量を観測・解析した結果を利活用すればよい。
【００３２】
また、結露については、平均水蒸気圧ｈ、気温ｔをパラメータとしたときの、一定しきい値以上になった場合に結露するとされている。即ち、ある地点ｐ、ある日の１日での最低気温ｔｍｉｎにおいて、次の式（１）の条件を満たす１ヶ月間の日数を結露日数と呼ぶ。
【数１】
0005314089.tif 000002
【００３３】
雨量については、２つの役割が考えられる。１つは、材料表面に付着した粒子を雨により流すときの量に関するものである。もう１つは、従来の考え方にあるように、腐食を促進させることに関係する量である。これについては濡れた材料表面を乾かす条件の１つである日照時間が関係する。
いずれの観測量についても、統計的な見地から計測期間が１ヶ月間の場合を基本単位とした。
【００３４】
次に、本実施の形態にかかる、任意の地点における、気温、降水量、結露日数、および海塩粒子量から、当該地点の腐食速度を推定するための解析関数について、具体的に説明する。ここでは、粒子量を推定する任意の地点を推定点と呼ぶ。また、気象データを観測する観測点については、アメダスと地域観測所を含めている。なお、アメダス、地域観測所以外で気象データが観測され、入手できれば用いるものとする。
【００３５】
（Ａ）任意の地点ｐｃと観測点ｐｓとの距離ｄｓ（ｐｃ）
任意の地点ｐｃ（推定点または実測点）から観測点ｐｓまでの距離をｄｓ（ｐｃ）とすると、地点ｐｃの緯度ｌａ（ｐｃ）・経度ｌｏ（ｐｃ）と観測点の緯度ｌａ（ｐｓ）・経度ｌｏ（ｐｓ）との距離はｄｓ（ｐｃ）は、次の式（２）で与えられる。
【数２】
0005314089.tif 000003
【００３６】
（Ｂ）月平均気温Ｔａｖ（ｐｃ，ｍ）
任意の地点ｐｃでの月ｍにおける月平均気温Ｔａｖ（ｐｃ，ｍ）は、地点ｐｃに近い、例えば３ヶ所の観測点ｐｓでの月ｍにおける月平均気温Ｔａｖ（ｐｓ，ｍ）の加重平均として、次の式（３）で与えられる。
【数３】
0005314089.tif 000004
ただし、最も近い観測点が、地点ｐｃから緯度０．５′×経度０．５′以内にある場合は、当該観測点の月平均気温Ｔａｖ（ｐｓ，ｍ）を使用する。また、観測点が地点ｐｃと同一地点に存在する場合も、当該観測点の月平均気温Ｔａｖ（ｐｓ，ｍ）を使用する。
【００３７】
（Ｃ）月降水量Ｐｓｕ（ｐｃ，ｍ）
任意の地点ｐｃでの月ｍにおける月降水量Ｐｓｕ（ｐｃ，ｍ）は、地点ｐｃに近い、例えば３ヶ所の観測点ｐｓでの月ｍにおける月降水量Ｐｓｕ（ｐｓ，ｍ）の加重平均として、次の式（４）で与えられる。
【数４】
0005314089.tif 000005
ただし、最も近い観測点が、地点ｐｃから緯度０．５′×経度０．５′以内にある場合は、当該観測点の月降水量Ｐｓｕ（ｐｓ，ｍ）を使用する。また、観測点が地点ｐｃと同一地点に存在する場合も、当該観測点の月降水量Ｐｓｕ（ｐｓ，ｍ）を使用する。
（Ｄ）月結露日数Ｃ（ｐｃ，ｍ）単位：日
任意の地点ｐｃでの月ｍにおける月結露日数Ｃ（ｐｃ，ｍ）は、地点ｐｃに近い、例えば３ヶ所の観測点ｐｓでの月ｍにおける月結露日数Ｃ（ｐｓ，ｍ）の加重平均として、次の式（５）で与えられる。
【数５】
0005314089.tif 000006
ただし、最も近い観測点が、地点ｐｃから緯度０．５′×経度０．５′以内にある場合は、当該観測点の月結露日数Ｃ（ｐｓ，ｍ）を使用する。また、観測点が地点ｐｃと同一地点に存在する場合も、当該観測点の月結露日数Ｃ（ｐｓ，ｍ）を使用する。
【００３８】
（Ｅ）腐食速度推定値Ｒ（ｐｃ，ｍ）単位：μｍ
腐食速度を推定するための解析関数については、次のように導出した。月単位での腐食速度Ｒ（ｐｃ，ｍ）については、平均降水量Ｐｓｕ（ｐｃ，ｍ）、結露日数Ｃ（ｐｃ，ｍ）、平均気温Ｔａｖ（ｐｃ，ｍ）、平均粒子量Ｓａｖ（ｐｃ，ｍ）に関係するモデルとした。次に、腐食速度とこの４つのパラメータ間の関係については次のように与えた。まず、平均降水量と平均粒子量が増大した場合は、腐食速度は急速に早まるものと仮定し、指数関数に従うものとした。続いて、結露日数が多いほど、平均降水量が多いほど、腐食速度が増えるものとした。
【００３９】
以上より、月ｍにおける、地点ｐｃでの腐食速度推定値は、各量に対する重みづけａ，ｂ，ｃ，ｄ，ｅとしたときに、次の式（６）に示す解析関数で表すことができる。
【数６】
0005314089.tif 000007
【００４０】
続けて、式（６）における５つのパラメータ、ａ，ｂ，ｃ，ｄ，ｅを推定する方法について述べる。その一つの求め方として、実際の腐食速度を解析したときの気象条件に基づくことである。 実際の腐食速度と式（６）により推定された誤差が試行錯誤的に、小さくなるように求めていく方法が取られてきた。しかし、この方法では、パラメータの組み合わせに限界があるため、非常に狭い範囲での当てはめしか評価できない問題があった。
【００４１】
そこで、本発明では最小二乗法の考え方に基づいた客観的な方法を適用する。ここで、実際に観測された地点ｐ，時期ｔにおける腐食速度をｒ（ｐ，ｔ）とし、式（６）により推定された腐食速度ｓ（ｐ，ｔ）との誤差をεとすると、観測地点数Ｐの場合、次の式（７）のように定義できる。
【数７】
0005314089.tif 000008
【００４２】
次に、式（７）を最小化するための必要条件として、次の式（８）に示すように、５つのパラメータに関する偏微分がゼロという条件を課すことができる。
【数８】
0005314089.tif 000009
【００４３】
従って、最小二乗法の基本的な数値解法である、擬似逆行列に基づいて５つのパラメータを容易に得ることができる。しかし、最小二乗法におけるパラメータ推定問題に関して、観測誤差が大きい場合には、式（８）の条件だけでは精度が低下することが知られている。そこで、本発明では、式（６）について、ロバスト統計学で用いられている、次の式（９）のようなロバスト関数ρを用いた非線形最小二乗法を適用する。
【数９】
0005314089.tif 000010
【００４４】
ただし、ロバスト関数は、ローレンツ関数の場合、次の式（１０）で与えられる。
【数１０】
0005314089.tif 000011
また、式（８）を最小化するための必要条件は、次の式（１１）で与えられる。
【数１１】
0005314089.tif 000012
【００４５】
式（８）の最小化するような５つのパラメータを求めるためには、最も利便性の高い最急降下法による反復計算を適用すればよい。ただし、初期値として、５つのパラメータについてすべてゼロとする。これら５つのパラメータのすべてについて、反復計算前後のパラメータ値の差、すなわち反復誤差が一定値（例えば、０．００１）未満になったときを収束条件として与える。また、収束性を高めるために、ロバスト関数において、反復回数ごとに、ロバスト関数内で用いられる変数σ（分布の裾野の広がり程度を規定するパラメータ）を大きい値（１２０など）から、小さい値（１０など）へ段階的に小さくしていく。
【００４６】
上述したような方法により、５つのパラメータを客観的にかつ、効率的に推定することができる。求められた５つのパラメータをａ’，ｂ’，ｃ’，ｄ’，ｅ’とすると、任意の推定点ｐｃでの腐食速度は、次の式（１２）により推定することができる。
【数１２】
0005314089.tif 000013
【００４７】
図３は、材料の暴露試験における材料の減肉具合を示す説明図である。金属材料、特に、亜鉛、鉄を一定期間、大気環境下に曝すと、初期の厚みをもつ材料２０がさまざまな要因により、材料２１のように減肉する場合がある。その要因については、気象条件や海から飛来する海塩粒子によるものを挙げることができる。一般に、亜鉛に比べて鉄の方が腐食する速度が速い。気象条件について、降水量、結露（日数）、気温が関係する。また、海塩粒子の量の関わりも大きい。
【００４８】
図４は、ある計算地点における腐食速度に関する精度の違いに対する評価値を示す説明図である。実際に腐食速度が観測された地点３ヶ所において、腐食速度を求める実験を行った。これについては、従来のように式（５）において、５つのパラメータを試行錯誤的に与えた場合と本発明である式（１２）により推定した場合について行った。その結果、実測された腐食速度と推定された腐食速度について、平均誤差は従来法３０に比べて本発明による方法３１の方が大幅に低くなった。なお、ここで平均誤差とは、各観測地点において、一定期間のデータから求められた平均値に基づいている。
【００４９】
［本実施の形態の効果］
このように、本実施の形態は、関数当てはめ部１４Ａで、任意の地点における気温、降水量、結露日数、および海塩粒子量から、予め定められたパラメータを用いて、当該地点における推定腐食速度を算出する解析関数に対して、実測点と第１の観測点との距離に基づき第１の観測点における気温、降水量、および結露日数を加重平均して求めた当該実測点における気温、降水量、および結露日数と、当該実測点における海塩粒子量と、当該実測点で計測した実測腐食速度とを適用することにより、パラメータとして実測腐食速度と推定腐食速度との誤差が最も少ない最適パラメータを特定し、腐食速度推定部１４Ｂで、推定点と第２の観測点との距離に基づき第２の観測点における気温、降水量、および結露日数を加重平均して求めた当該推定点における気温、降水量、および結露日数と、当該推定点における海塩粒子量とから、最適パラメータを用いた解析関数に基づいて当該推定点における腐食速度を算出するようにしたものである。
【００５０】
これにより、推定点での腐食速度を推定する際、推定点における気温、結露、雨量など、腐食速度に大きな影響を与える気象データが推定値計算に反映されているため、気象条件によって発生する推定誤差を低減することができ、推定点における腐食速度を高い精度で推定することが可能となる。したがって、構造物の腐食状況を、腐食速度の実測データが存在しない地点であっても、正確に推定することができ、構造物の寿命や最適な腐食対策などを、簡便かつ正確に判断することが可能となる。特に、電力や電気通信の分野において、送電線や通信線を支える構造物など、広範囲で僻地に建設された構造物の腐食対策において、極めて高い効果が得られる。
【００５１】
また、本実施の形態では、関数当てはめ部１４Ａで、解析関数に関する最適パラメータを特定する際、ロバスト関数を用いた非線形最小二乗法に基づいて、反復誤差がしきい値未満となるまで、各パラメータの値を変化させて腐食速度を反復計算するとともに、当該反復計算の回数に応じて、当該ロバスト関数内の係数を段階的に変化させるようにしたので、腐食速度を推定する際、入力されるデータ間のばらつきという外れ値に対応することができるとともに、収束性を高めることができる。これにより、解析関数で用いるパラメータを、客観的かつ効率的に特定することができるとともに、特定精度を向上させることができる。
【００５２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５３】
１０…腐食速度推定装置、１１…データ入力部、１２…データ蓄積部、１３…表示部、１４…演算処理部、１４Ａ…関数当てはめ部、１４Ｂ…腐食速度推定部。
【図１】
0005314089.tif 000016
【図２】
0005314089.tif 000017
【図３】
0005314089.tif 000018
【図４】
0005314089.tif 000019